(57)【要約】      （修正有）【課題】物の出し入れ口が揃えてカットされている樹脂フィルム製袋において、この出し入れ口に指先を掛けて開き易くする。【解決手段】袋本体１を形成するための左右のサイドシール２、２ａの上端側に未シール領域４、４ａを残し、この左右の未シール領域４、４ａ間に摘みテープ８、８ａを貼り合せる。このようにすると、出し入れ口７はＶ字状に開き加減となり、然も腰が強くなることにより、指先で摘まみ易く、指先の不自由な人でも容易に開口することができる。【選択図】図１
0003136925.tif 000002
【実用新案登録請求の範囲】
【請求項１】
袋本体を形成するための前面フィルムと後面フィルムの左右のサイドシールの上端側に未シール領域を形成し、この左右の未シール領域間に摘みテープを貼り合せて易開口性を付与して成る樹脂フィルム製袋。
【請求項２】
前記摘みテープを袋本体の前面フィルムと後面フィルムの内面にそれぞれ貼り合せて成る請求項１に記載の樹脂フィルム製袋。
【請求項３】
前記摘みテープを一部に貼り合せて成る請求項１又は２に記載の樹脂フィルム製袋。
【請求項４】
前記摘みテープの内面にリブを形成して成る請求項１又は２又は３に記載の樹脂フィルム製袋。
【請求項５】
前記摘みテープの内面に凸部の集合領域を形成して成る請求項１又は２又は３に記載の樹脂フィルム製袋。
【請求項６】
前記左右のサイドシールを、前記摘みテープが交差するところまで施して成る請求項１に記載の樹脂フィルム製袋。
【考案の詳細な説明】
【技術分野】
【０００１】
本考案は、樹脂フィルム及びこの樹脂フィルムと複合されたアルミ箔製のフィルムを材料に形成された袋に関し、更に詳しくは、左右両サイドに沿ってヒートシールが行われていて、上部の開口部は前面フィルムと後面フィルムとが揃えてカットされている袋に関するものである。
【背景技術】
【０００２】
従来の袋であって、サイドシールが行われた袋本体の上部の開口部が揃えてカットされている樹脂フィルム製袋を図４に示す。この図４において、１０は袋本体、１１、１１ａは左右のサイドシール、１２は底部のシールであって、この袋本体１０の上部出し入れ口１３は、図５に示すように、前面フィルム１４と後面フィルム１５の上端は揃えてカットしてある。
【０００３】
このように、袋の出し入れ口１３が揃えてカットしてあると、樹脂フィルムの剛性により、出し入れ口１３の前面フィルム１４と後面フィルム１５は密着してしまう。このため、この出し入れ口１３を開こうとしても、指先が上縁に引っ掛からないため、特に子供、指先の不自由な人、高齢の人には開口しにくいという問題がある。
【考案の開示】
【考案が解決しようとする課題】
【０００４】
本考案の目的は、サイドーシールにより製袋されていて、出し入れ口の前面フィルムと後面フィルムとが揃えてカットされている樹脂フィルム製袋において、子供、指先の不自由な人、あるいは高齢の人にも開口しやすいようにすることである。
【課題を解決するための手段】
【０００５】
上記目的を達成するため、請求項１に記載の考案においては、樹脂フィルム製袋において、袋本体を形成するための前面フィルムと後面フィルムの左右のサイドシールの上端側に未シール領域を形成し、この左右の未シール領域間に摘みテープを貼り合せて易開口性を付与して成ることを特徴とするものである。
【０００６】
更に、請求項２に記載の考案においては、請求項１に記載の樹脂フィルム製袋において、前記摘みテープを袋本体の前面フィルムと後面フィルムの内面にそれぞれ貼り合せて成ることを特徴とするものである。
【０００７】
更に、請求項３に記載の考案においては、請求項１又は２に記載の樹脂フィルム製袋において、前記摘みテープを一部に貼り合せて成ることを特徴とするものである。
【０００８】
更に、請求項４に記載の考案においては、請求項１又は２又は３に記載の樹脂フィルム製袋において、前記摘みテープの内面にリブを形成して成ることを特徴とするものである。
【０００９】
更に、請求項５に記載の考案においては、請求項１又は２又は３に記載の樹脂フィルム製袋において、前記摘みテープの内面に凸部の集合領域を形成して成ることを特徴とするものである。
【００１０】
更に、請求項６に記載の考案においては、請求項１に記載の樹脂フィルム製袋において、前記左右のサイドシールを、前記摘みテープが交差するところまで施して成ることを特徴とするものである。
【考案の効果】
【００１１】
本考案は、袋の出し入れ口に摘みテープをヒートシールしたことにより、この出し入れ口の剛性（腰）が高まり、加えて前面フィルムと後面フィルムの上端が摘みテープ分厚くなるため、Ｖ字状に開き加減となり、指先を掛けて摘み易くなる。この結果、大人は勿論、子供、指先の不自由な人、高齢の人においても袋が開き易くなる。
【実施例】
【００１２】
図１〜図３に基づいて本考案の実施例を詳細に説明する。図１は本考案に係る樹脂フィルム製袋の説明図、図２は出し入れ口を開いている状態の説明図、図３は滑り止めを施した例を示し、（Ａ）は摘みテープにリブを形成した例、（Ｂ）は凸部を形成した例、（Ｃ）はサイドシールを上端まで施した例の説明図である。
上記各図において、１は左右両サイドに沿って施されたサイドシール２、２ａ及び底辺シール３により製袋された三方シールタイプの袋本体、４、４ａは袋本体１において、前面フィルム５と後面フィルム６の上端側に形成した未シール領域、７は出し入れ口である。８、８ａは左右の前記未シール領域４、４ａ間にヒートシールされた摘みテープである。
【００１３】
本考案によると、袋本体１の出し入れ口７に摘みテープ８、８ａを貼り合わせたことにより、図２に示すように、出し入れ口７はＶ字状に開き加減となり、左右の手の指先を出し入れ口７の摘みテープ８、８ａのところに掛けると、簡単に開く。
なお、この摘みテープ８、８ａの内面には、図３（Ａ）に示すように、リブ９又は図３（Ｂ）に示すように、凸部の集合領域９ａを形成することにより、指先が滑りにくいように工夫しても良い（請求項４、５）。
また、この摘みテープ８、８ａは左右の幅いっぱいではなく、左右の中間部分だけに貼り合せても良い（請求項３）。
また、前面フィルム５と後面フィルム６の内面ではなく、外面に貼り合せても摘み易さの効果は同一である。
また、サイドシール２、２ａは、図３（Ｃ）に示すように、摘みテープ８、８ａが交差するところまで施しても、摘みテープ８、８ａの作用により摘み易さは上記実施例の場合と殆ど変わらない。
また、袋本体１には、三方シールタイプ以外に底側で折り返し、サイドシール２、２ａを行った二方シールタイプもある。
【図面の簡単な説明】
【００１４】
【図１】本考案に係る易開放袋の斜視図
【図２】Ａ−Ａ´線断面図であって、袋の出し入れ口を開いている状態の説明図
【図３】（Ａ）は摘みテープにリブを形成した例、（Ｂ）は凸部の集合領域を形成した例、（Ｃ）はサイドシールを摘みテープが交差するところまで施した例の説明図
【図４】従来の出し入れ口を揃えてカットした樹脂フィルム製袋の説明図
【図５】Ｂ−Ｂ´線断面図
【符号の説明】
【００１５】
１  袋本体
２、２ａ  サイドシール
３  底辺シール
５  前面フィルム
６  後面フィルム
７  出し入れ口
８、８ａ  摘みテープ
９  リブ
９ａ  凸部の集合領域
【図１】
0003136925.tif 000003
【図２】
0003136925.tif 000004
【図３】
0003136925.tif 000005
【図４】
0003136925.tif 000006
【図５】
0003136925.tif 000007